(57)【要約】【課題】板金製裏蓋の貫通穴に合成樹脂製カバーのフックを挿入しスライドさせて裏蓋とカバーの連結を行う電気機器において、フックを受け入れた貫通穴に水や異物の侵入の可能性を残さないようにする。【解決手段】加熱調理器１の本体２は背面を板金製の裏蓋１０で覆われる。裏蓋１０の外面上部には合成樹脂製のカバー２０が取り付けられる。裏蓋１０には貫通穴１１、１２が形成され、カバー２０の裏蓋１０に向き合う面にはフック２１、２２、２３が形成される。フック２１、２２、２３を貫通穴１１、１２に挿入し、挿入方向と直角の方向にカバーをスライドさせると、フック２１、２２、２３が貫通穴１１、１２の縁に係合し、カバー２０は裏蓋１０に連結される。この時、フックの周辺に形成した閉塞部２４、２５、２６が外側から貫通穴１１、１２を閉塞する。【選択図】図８
2010060145.tif 000002
【特許請求の範囲】
【請求項１】
箱形の電気機器本体と、
前記本体の板金製裏蓋と、
前記裏蓋外面に装着される合成樹脂製カバーを備え、
前記カバーは前記裏蓋に向き合う面にフックを備え、前記フックを前記裏蓋の貫通穴に挿入した後、挿入方向と直角の方向にスライドすることにより、前記裏蓋に連結するものであるとともに、
前記カバーの前記フック周辺には、前記スライドの後前記貫通穴を外側から閉塞する閉塞部が形成されていることを特徴とする電気機器の裏蓋構造。
【請求項２】
前記閉塞部がループ状を呈していることを特徴とする請求項１に記載の電気機器の裏蓋構造。
【発明の詳細な説明】
【技術分野】
【０００１】
本発明は電気機器の裏蓋構造に関する。
【背景技術】
【０００２】
特許文献１に一例を示す加熱調理器や、冷蔵庫など、背面を壁に向けて設置する電気機器においては、本体背面を安価な板金製裏蓋で覆うのが一般的である。
【特許文献１】特開２００８−７００１８号公報
【発明の開示】
【発明が解決しようとする課題】
【０００３】
上記のような板金製裏蓋の外面に、壁面との間隔を確保するなどの目的で合成樹脂製カバーを取り付けることがある。板金部品と樹脂部品を組み合わせる場合、板金部品には貫通穴、樹脂部品にはフックを形成しておき、貫通穴にフックを挿入した後、挿入方向と直角の方向に樹脂部品をスライドさせて貫通穴の縁にフックを係合させるという手法がしばしば用いられる。この手法は板金部品と樹脂部品を簡単に連結することができ、便利であるが、フックを挿入しスライドさせた後、貫通穴の一定部分が穴のまま残り、水や異物の侵入の可能性を残すという問題があった。
【０００４】
本発明は上記の点に鑑みなされたものであり、板金製裏蓋の貫通穴に合成樹脂製カバーのフックを挿入しスライドさせて裏蓋とカバーの連結を行う電気機器において、フックを受け入れた貫通穴に水や異物の侵入の可能性を残さないようにすることを目的とする。
【課題を解決するための手段】
【０００５】
上記目的を達成するために本発明は、箱形の電気機器本体と、前記本体の板金製裏蓋と、前記裏蓋外面に装着される合成樹脂製カバーを備え、前記カバーは前記裏蓋に向き合う面にフックを備え、前記フックを前記裏蓋の貫通穴に挿入した後、挿入方向と直角の方向にスライドすることにより、前記裏蓋に連結するものであるとともに、前記カバーの前記フック周辺には、前記スライドの後前記貫通穴を外側から閉塞する閉塞部が形成されている
ことを特徴としている。
【０００６】
この構成によると、フックを係合させた貫通穴は閉塞部で閉塞されるから、そこから水や異物が侵入する懸念がなくなる。
【０００７】
また本発明は、上記構成の電気機器において、前記閉塞部がループ状を呈していることを特徴としている。
【０００８】
この構成によると、閉塞部と裏蓋との密着性が良くなり、水や異物の侵入を効果的に防止できる。
【発明の効果】
【０００９】
本発明によると、合成樹脂製カバーのフックを受け入れ、カバーのスライドによりフックを係合させた板金製裏蓋の貫通穴から水や異物が侵入するという懸念を排除できる。
【発明を実施するための最良の形態】
【００１０】
以下本発明の実施形態を、電気機器として加熱調理器を例にとり図に基づき説明する。図１は加熱調理器の側面図、図２は裏蓋の正面図、図３は裏蓋にカバーを組み合わせた状態を示す正面図、図４は第１形状のフックの斜視図、図５は第２形状のフックの斜視図、図６は第３形状のフックの斜視図、図７は第１形状のフックを裏蓋の貫通穴に挿入した状態を示す拡大断面図、図８は第１形状のフックを裏蓋の貫通穴に係合させた状態を示す拡大断面図、図９は第１形状のフックを係合させた貫通穴の正面図、図１０は第２形状のフックを裏蓋の貫通穴に挿入した状態を示す拡大断面図、図１１は第２形状のフックを裏蓋の貫通穴に係合させた状態を示す拡大断面図、図１２は第２形状のフックを係合させた貫通穴の正面図、図１３は第３形状のフックを係合させた貫通穴の正面図である。
【００１１】
加熱調理器１は直方体形状の本体２を備える。加熱調理器１はオーブン形式であり、本体２の内部にやはり直方体形状の加熱室３が設けられている。加熱室３は正面側が開口していて、上部にハンドル５を有する扉４がこれを閉ざす。
【００１２】
本体２の背面は板金製の裏蓋１０で覆われる。加熱調理器１は加熱室３の内部の気体を背面上部から排気する仕組みを備えており、排気口に壁面が近づきすぎないようにするため、裏蓋１０の外面上部に合成樹脂製のカバー２０が取り付けられる。
【００１３】
裏蓋１０とカバー２０は、前述した貫通穴とフックの取り合わせで連結される。図２に示すように、裏蓋１０には貫通穴１１と貫通穴１２が形成されている。貫通穴１１は上下に細長いスリット状であり、互いに間隔を置いて横一列に並ぶ形で３個配置されている。貫通穴１２はやや偏平な矩形であり、互いに間隔を置いて横一列に並ぶ形で４個配置されている。
【００１４】
裏蓋１０には、貫通穴１１に並ぶあたりの高さのところに横長のルーバー状通気口１３が設けられている。通気口１３は本体２の内側に押し込む形で設けられ、本体２の内部で上向きに開口している。
【００１５】
カバー２０には、裏蓋１０に向き合う面に図４から図６に示す形状のフックが形成される。貫通穴１１に挿入されるのは図４に示す第１形状のフック２１である。フック２１は貫通穴１１の形状に合わせて平板状となっている。貫通穴１２に挿入されるのは図５に示す第２形状のフック２２または図６に示す第３形状のフック２３である。第２形状のフック２２と第３形状のフック２３は幅広形状となっている。
【００１６】
カバー２０には、それぞれのフックの周辺に、カバー内面から隆起した閉塞部が形成される。第１形状のフック２１に対しては図４に示すブロック形状の閉塞部２４が形成される。第２形状のフック２２に対しては図５に示すブロック形状の閉塞部２５が形成される。第３形状のフック２３に対しては図６に示すループ形状の閉塞部２６が形成される。第２形状のフック２２と第３形状のフック２３は、フック自体の形状はほぼ同じであるが、閉塞部の形状が、閉塞部２５はブロック形状であるのに対し、閉塞部２６はループ状を呈している点が大きく異なる。
【００１７】
貫通穴１１にフック２１を挿入し、貫通穴１２にフック２２または２３を挿入して、その挿入方向と直角の方向、この場合は下方向に、カバー２０をスライドさせると、フック２１、２２、２３は貫通穴１１、１２の下縁に係合する。これにより、カバー２０は裏蓋１０に連結する。フック２１は図７から図８のように係合し、フック２２と２３は図１０から図１１のように係合する。
【００１８】
フックが貫通穴に係合すると、閉塞部２４は貫通穴１１を外側から閉塞する。閉塞部２５、２６は貫通穴１２を外側から閉塞する。これにより、貫通穴１１、１２から水や異物が侵入することはなくなる。
【００１９】
その後、図示しないビスでカバー２０を裏蓋１０にネジ止めすれば、カバー２０の装着は完了する。
【００２０】
以上、本発明の実施形態につき説明したが、本発明の範囲はこれに限定されるものではなく、発明の主旨を逸脱しない範囲で種々の変更を加えて実施することができる。
【産業上の利用可能性】
【００２１】
本発明は板金製裏蓋を備えた電気機器に広く利用可能である。
【図面の簡単な説明】
【００２２】
【図１】加熱調理器の側面図
【図２】裏蓋の正面図
【図３】裏蓋にカバーを組み合わせた状態を示す正面図
【図４】第１形状のフックの斜視図
【図５】第２形状のフックの斜視図
【図６】第３形状のフックの斜視図
【図７】第１形状のフックを裏蓋の貫通穴に挿入した状態を示す拡大断面図
【図８】第１形状のフックを裏蓋の貫通穴に係合させた状態を示す拡大断面図
【図９】第１形状のフックを係合させた貫通穴の正面図
【図１０】第２形状のフックを裏蓋の貫通穴に挿入した状態を示す拡大断面図
【図１１】第２形状のフックを裏蓋の貫通穴に係合させた状態を示す拡大断面図
【図１２】第２形状のフックを係合させた貫通穴の正面図
【図１３】第３形状のフックを係合させた貫通穴の正面図
【符号の説明】
【００２３】
１    加熱調理器
２    本体
３    加熱室
４    扉
１０  裏蓋
１１、１２  貫通穴
２０  カバー
２１、２２、２３  フック
２４、２５、２６  閉塞部
【図１】
2010060145.tif 000003
【図２】
2010060145.tif 000004
【図３】
2010060145.tif 000005
【図４】
2010060145.tif 000006
【図５】
2010060145.tif 000007
【図６】
2010060145.tif 000008
【図７】
2010060145.tif 000009
【図８】
2010060145.tif 000010
【図９】
2010060145.tif 000011
【図１０】
2010060145.tif 000012
【図１１】
2010060145.tif 000013
【図１２】
2010060145.tif 000014
【図１３】
2010060145.tif 000015